(57)【要約】  ここに記載されているのは、照明装置側のランプホルダに接続される少なくとも１つのベース（１１，１１′）と、少なくとも１つのＬＥＤ素子（１２）とを含むランプ（１０，１０′）である。その特徴は、複数のＬＥＤ素子（１２）が設けられており、これらは、上記のベースから離れて配置されかつ構造ユニット（１３，１３′）にまとめられていることである。
2005514753.tif 000002
【特許請求の範囲】
【請求項１】
照明装置側のランプホルダに接続するための少なくとも１つのベース（１１，１１′）と、少なくとも１つのＬＥＤ素子（１２）とを含むランプ（１０，１０′）において、
複数のＬＥＤ素子（１２）が設けられており、
該ＬＥＤ素子は、前記ベースから離れて配置されかつ構造ユニット（１３，１３′）にまとめられていることを特徴とする、
ランプ。
【請求項２】
前記構造ユニット（１３，１３′）は、前記のランプのベース（１１，１１′）に固定される別個の要素としてあらかじめ作製されている、
請求項１に記載のランプ。
【請求項３】
複数のＬＥＤ素子（１２）の少なくとも一部は、実質的に列状の配置構成に、例えば、直線的なロッド状装置（１３，１３′）にまとめられている、
請求項１または２に記載のランプ。
【請求項４】
前記ロッド状装置（１３，１３′）は、ランプの長手方向軸（Ｌ）に実質的に沿って配置されている、
請求項３に記載のランプ。
【請求項５】
前記ＬＥＤ素子（１２）は、例えば個々に調光および／またはオンないしはオフ可能に構成されている、
請求項１から４までのいずれか１項に記載のランプ。
【請求項６】
前記構造ユニット（１３）は、実質的に透明に構成されている、
請求項１から５までのいずれか１項に記載のランプ。
【請求項７】
前記構造ユニット（１３′）は、少なくとも部分的に実質的に反射性を有するないしは散乱性を有するように構成されている、
請求項１から５までのいずれか１項に記載のランプ。
【請求項８】
バルブ素子（１６，２４）が設けられており、
該バルブ素子は、前記構造ユニットを少なくとも部分的に包囲する、
請求項１から７までのいずれか１項に記載のランプ。
【請求項９】
前記バルブ素子（１６，２４）はプラスティックからなる、
請求項８に記載のランプ
【請求項１０】
前記プラスティックは、散乱体を含む、
請求項９に記載のランプ。
【請求項１１】
前記バルブ素子は、プラスティック射出成形部として構成されており、
前記散乱体は、射出成形の前にプラスティック粒子に混ぜられている、
請求項１０に記載のランプ。
【請求項１２】
前記バルブ素子は、プラスティック射出成形部として構成されており、
前記散乱体はプラスティック粒子の構成要素である、
請求項１０に記載のランプ。
【請求項１３】
前記散乱体は、蛍光材料からなる、
請求項１０から１２までのいずれか１項に記載のランプ。
【請求項１４】
前記蛍光材料により、ＵＶビーム成分、例えば、青または波長の長いＵＶ領域にある放出（例えば、２種類目の部分ランプ（１５，１５′）のＨｇ線）および／またはＬＥＤ素子（１２，１２′）によって放出される波長の長いＵＶビームを可視光に変換される、
請求項１３に記載のランプ。
【請求項１５】
前記バルブ素子（１６，２４）は、ディフューザ素子として構成されている、
請求項８から１４までのいずれか１項に記載のランプ。
【請求項１６】
前記ベース（１１，１１′）に少なくとも１つの２種類目の部分ランプ（１５，１５′）が配置されている、
請求項１から１５までのいずれか１項に記載のランプ。
【請求項１７】
前記の２種類目のランプ（１５，１５′）は蛍光材料層を有する、
請求項１６に記載のランプ。
【請求項１８】
前記の２種類目のランプ（１５，１５′）および構造ユニット（１３，１３′）の配置構成を選択して、ＬＥＤ素子（１２，１２′）の所与の放出特性にて、ＬＥＤビームが、例えばもっぱら部分ランプ（１５，１５′）の蛍光材料層にのみ入射するようにする、
請求項１７に記載のランプ。
【請求項１９】
前記の蛍光材料層と、構造ユニット（１３，１３′）との間で多重反射が行われる、
請求項１７または１８に記載のランプ。
【請求項２０】
前記の２種類目の部分ランプ（１５，１５′）は、コンパクト蛍光材料ランプまたは高圧放電ランプとして構成されている、
請求項１６から１９までのいずれか１項に記載のランプ。
【請求項２１】
前記の２種類目の部分ランプ（１５，１５′）は、調光および／またはオンないしはオフ可能に構成されている、
請求項１６から２０までのいずれか１項に記載のランプ。
【請求項２２】
バルブ素子（１６，２４）が設けられており、
該バルブ素子は、ＬＥＤ素子（１２）を有する構造ユニット（１３，１３′）も、２種類目の部分ランプ（１５，１５′）も共に少なくとも部分的に包囲する、
請求項１から２１までのいずれか１項に記載のランプ。
【請求項２３】
前記のランプは、当該ランプ（１０，１０′）の中央面（Ｅ）に関して実質的に対称に構成されている、
請求項１から２２までのいずれか１項に記載のランプ。
【請求項２４】
前記構造ユニット（１３，１３′）はベース（１１，１１′）の中央で真ん中に配置されている、
請求項１から２３までのいずれか１項に記載のランプ。
【請求項２５】
少なくとも２つの構造ユニット（１３，１３′）が、例えば互いに離され、ランプの中央面（Ｅ）に沿って対称に配置されている、
請求項１から２４までのいずれか１項に記載のランプ。
【請求項２６】
構造ユニット（１３，１３′）の２つの区分が互いに離されて、ランプの中央面に対して対称に設けられている、
請求項１から２４までのいずれか１項に記載のランプ。
【請求項２７】
前記ＬＥＤ素子（１２）はそれぞれ構造ユニット（１３，１３′）の一方の面に設けられている、
請求項１から２６に記載のランプ。
【発明の詳細な説明】
【技術分野】
【０００１】
本発明は、照明装置側のランプホルダ（Lampenfassung）に接続するための少なくとも１つのベース（Sockel）と、少なくとも１つのＬＥＤ（light emitting diode）素子とを含むランプに関する。
【０００２】
従来の技術
上記のようなランプはDE198 29 270 A1に記載されている。そこでは相異なる色温度の少なくとも２つの部分ランプが設けられており、このランプの全体的な色温度は変更可能である。ここで２つの部分ランプのうちの１つはＬＥＤ素子として構成されている。
【０００３】
ＬＥＤ素子をランプに配置する際に考慮しなければならないのは、ＬＥＤ素子は通例、指向性のあるビームを放射することである。ランプから送出されるＬＥＤビームの輝度分布を均一にするため、ないしは２個の部分ランプを有する場合にはこのランプから送出される、ＬＥＤビーム成分を有するビームの輝度分布を均一にするために、ＬＥＤ素子を特別に配置しなければならないのである。
【０００４】
発明の説明
本発明の課題は既存のランプを発展させて、このランプにより、ＬＥＤ素子から送出されるＬＥＤビームの輝度分布を簡単なランプ構造で均一にできるようにすることである。
【０００５】
この課題は、本発明により、ベースから離されて配置されかつ構造ユニットにまとめられる複数のＬＥＤ素子を設けることによって解決される。
【０００６】
したがって本発明の基本的な考え方は実質的につぎのようにすることにある。すなわち、ＬＥＤ素子をランプのベースに配置し、ベースの近くまたはベースに形成され得るＬＥＤビームを光導波素子または光ガイド素子によってランプの容積部に分散させるのではなく、ベースから離してＬＥＤ素子を配置して、複数のＬＥＤ素子から送出されるＬＥＤビームがランプ容積部内ですでにある程度均等化され得るようにするのである。当然のことながらさらに輝度分布を均一化する光導波素子または光ガイド素子を設けることが可能であり、例えばディフューザ素子を設けることができる。しかしながら本発明のようにランプ容積部の少なくとも部分領域においてＬＥＤ素子を分散配置することにより、ランプのＬＥＤビームの輝度分布を格段に均一化することができる。
【０００７】
さらに本発明の解決手段により、ランプを構造的に殊に簡単に構成することができる。上記の構造ユニットは、例えば、ランプのベースに固定される別個の要素としてあらかじめ作製しておき、引き続いてベースに取り付けることができる。さらに基本的には公知の構造ユニットを使用することも可能であり、これにより、価格的に有利な本発明のランプを得ることができる。複数のＬＥＤ素子を１つの構造ユニットにまとめることにより、この点において本発明のランプを殊に簡単に作製することができる。
【０００８】
さらにこれにより、個々のＬＥＤ素子と構造要素との接続領域の、熱による温度作用が大幅に除去される。ここでこの熱は、この場合によっては設けられる部分ランプと、このランプとの接続領域において形成される熱である。例えば、相異なる部分ランプが設けられるランプにおいて、上記によって可能になるのは、２種類目の部分ランプだけをこのランプのベースに配置し、ＬＥＤ素子を構造ユニットに配置し、ひいてはこのベースに間接的にのみ配置することである。このようにしてＬＥＤ素子によって形成される熱の熱放出に対して比較的大きな表面、すなわちこの構造ユニットの表面が得られる。この表面は、ランプのベース内にＬＥＤ素子を配置する際には存在し得なかったものである。さらにこの構造ユニットの表面と、ランプのベースの表面とは分かれている。
【０００９】
本発明のランプは一方の側または両側でソケットに挿入することができる。例えば、ねじ込みベースを有する慣用の液滴状の基本形状のランプとすることができ、ＬＥＤ素子は有する構造ユニットはランプ容積部内には配置される。択一的には慣用のコンパクト蛍光ランプの形態をし、差込端子を有し、一方の側でソケットに挿入されるランプとして、本発明のランプを構成することも可能である。また慣用の蛍光ランプの形態にしたがい、両側にソケット挿入部を有するランプ形態も考えられる。
【００１０】
本発明の意味でのＬＥＤビームは、有利には可視の波長領域にあり、ＬＥＤ素子から送出されるビームのことである。しかしながら基本的に考えることができ、また本発明の意味におけるＬＥＤビームという概念に含まれ得るのは、不可視の波長領域の別のビーム、例えば波長の短いＵＶ領域のビームを送出するＬＥＤ素子を使用することである。このようなＬＥＤ素子を使用する際には、例えば、ランプ容積部を包囲する付加的なバルブ素子（Kolbenelement）を設けることができ、ここでこのバルブ素子の内側には波長の短いＬＥＤ−ＵＶビームを可視のビームに変換する蛍光材料層が設けられる。
【００１１】
本発明のランプのＬＥＤ素子は、単色で構成するか、または様々な色を有することができる。これにより、適切に駆動制御することによって例えば色の変化（Farbgang）を達成することも可能である。
【００１２】
本発明にように構造ユニットに複数のＬＥＤ素子を配置することにより、駆動制御が殊に簡単になるのに加えて、接続線路および制御線路を殊に簡単に配置することができる。例えばランプのベースの構造を殊に簡単に構成することができる。構造ユニットはランプベースに差込接続することができる。
【００１３】
本発明の有利な実施形態によれば、複数のＬＥＤ素子の少なくとも一部を、実質的に列状の配置構成にまとめることができる。この実施形態によって可能になるのは、例えば、実質的にランプの長手方向軸に沿って構造ユニットを配置することであり、これによって簡単な手段でランプ容積部内においてＬＥＤビームの輝度分布を最大限に均一化することができる。さらに公知の構造ユニットを使用することができる。
【００１４】
本発明の別の有利な実施形態によれば、ＬＥＤ素子は、直線的なロッド状装置にまとめられる。この実施形態によって可能になるのは、公知の構造要素を殊に簡単に再利用することであり、開発および製造コストを低く抑えることができる。例えば、アクリルガラス（プレキシガラス）に入れられるＬＥＤ素子のロッド状装置は、別の分野から公知である。このような構造ユニットは、場合によっては変更を行って、ランプにおける装置に使用することができる。さらにＬＥＤ素子を直線的なロッド状装置にまとめることによって、ランプ容積部において均一に分散されたＬＥＤ素子の装置が得られ、ひいては均一な輝度分布が得られる。
【００１５】
本発明の別の実施形態では上記のロッド状装置は実質的にランプの長手方向軸に沿って配向される。この装置によって可能になるのは、例えば、縦長に構成されているランプ、、すなわち例えばバルブ形状のランプ容積部を有するランプにおいて、殊に均一な輝度分布である。この場合、ＬＥＤ素子を有するロッド状装置は、ベースの断面（幅の広い側）によって形成される面に対して実質的に垂直に配置される。これによって殊に簡単な取り付けが可能になり、ロッド状装置はベースに殊に安定して配置される。
【００１６】
本発明の有利な実施形態では、構造ユニットは実質的に透明に構成される。この実施形態により、均一にビームを混合することができる。
【００１７】
本発明の択一的な別の実施形態では、構造ユニットは実質的に反射性を有する、ないしはビーム散乱性を有するように構成される。この実施形態における重要な利点は、この構造ユニットの表面で多重の反射が行われ得ることである。この際に構造ユニットないしはＬＥＤ素子ならびに場合によっては選択的に設けられる部分ランプを幾何学的に配置することができ、この配置構成によって同様にビームを均一に混合することができる。例えば、構造ユニットは、２種類目の部分ランプのすぐ隣に配置することができ、これによって、構造ユニットと、部分ランプの原材料との間で多くの多重反射を行うことができる。
【００１８】
本発明の別の有利な実施形態によれば、バルブ素子が設けられており、これは構造ユニットを少なくとも部分的に包囲する。バルブ素子として、例えば、透明なガラスまたはプラスティックの円筒が考えられる。基本的にはバルブ素子を保護バルブとして構成することが可能であり、これによって例えば、ランプ容積部内で所定の圧力を形成するか、または所定の充填ガスを保持する。しかしながらまた、例えば冷却を行う空気流を通す開口部を有するバルブ素子を設けることも可能である。
【００１９】
バルブ素子は、本発明の有利な実施形態ではディフューザとして構成される。ここでこのディフューザ素子により、ランプの輝度分布の均一化が行われる。さらに色の異なる複数のＬＥＤ素子の場合には、このディフューザ素子により、色を混合することができる。また２種類目の部分ランプを設ける場合、このディフューザ素子も、ＬＥＤビームと、この２種類目の部分ランプから送出されるビームとの混合に寄与することができる。
【００２０】
本発明の有利な実施形態によれば、上記のバルブ素子はプラスティックからなる。この実施形態によって可能になるのは、バルブ素子を作製するプラスティック粒子に散乱体を入れることである。例えばプラスティック射出成形部として作製されるバルブ素子は、これにより、殊に均一に分散化された散乱体を有することが可能である。この際の作製コストはわずかである。散乱体は、プラスティックに混ぜるか、または上記の粒子の組み込み構成要素とすることができる。
【００２１】
上記の散乱体は、蛍光材料から構成することも可能である。
【００２２】
本発明の別の有利な実施形態では、上記のベースに少なくとも１つの２種類目の部分ランプが配置される。ここでこの部分ランプは、例えば、コンパクト蛍光ランプとすることができるが、高圧放電ランプまたはこれに類似のものとすることも可能である。例えば、２種類目の部分ランプと、構造ユニットに配置されるＬＥＤ素子とが相異なる色温度を有する場合、DE 198 29 270 A1に記載されているようにランプの全体的な色温度を変更することができる。このために構造ユニットのＬＥＤ素子および／または２種類目の部分ランプを調光可能および／またはオンないしはオフ可能に、また場合によってはＬＥＤ素子を個々に調光可能および／またはオンないしはオフ可能に構成することもできる。
【００２３】
これによって例えば、効率的な非常灯または常時灯を提供するランプを構成することができる。ここでこの非常灯または常時灯はＬＥＤ素子によって形成され、また必要に応じて２種類目の部分ランプが付加的にスイッチオンされて大きな光束が形成される。
【００２４】
本発明の１実施形態によれば、上記の２種類目のランプは蛍光材料層を有する。
【００２５】
本発明の１実施形態によれば、上記の２種類目のランプおよび構造ユニットの配置構成を選択して、ＬＥＤ素子の所与の放出特性において、ＬＥＤビームが、例えばもっぱら部分ランプの蛍光材料層にのみ入射するようにする。
【００２６】
本発明の１実施形態によれば、上記の蛍光材料層と、構造ユニットとの間で多重反射が行われる。
【００２７】
本発明によれば、少なくとも２種類目の部分ランプから送出されるビームの輝度分布に極めて類似している輝度分布を、ＬＥＤ素子から送出されるビームが有し得るようにするランプが可能である。
【００２８】
本発明の殊に有利な実施形態では、赤色ＬＥＤからなるＬＥＤ素子を提供して、これと、Ｈｇ蛍光ランプとして構成された２種類目の部分ランプとを組み合わせる。これによって、グローランプの調光の際に形成される２５００Ｋ以下の色温度を有する白色光を形成することができる。
【００２９】
Ｈｇ蛍光ランプは、任意の形状を有することができ、また例えばコンパクトランプまたはリニアランプとして構成することができる。ここでこのＨｇ蛍光ランプから複数のランプを設けることもできる。対象となり得るのは、例えば放電容器を有するコンパクト蛍光材料ランプであり、これは、例えば、OSRAM社のDULUX-T/Eコンパクト蛍光ランプ、DULUX-S/EランプまたはDULUX L-ランプのように少なくとも１つの例えばＵ字形に曲げられた部分を有する。
【００３０】
本発明の別の有利な実施形態では、バルブ素子は、ＬＥＤ素子を有する構造ユニットも、２種類目の部分ランプも共に少なくとも部分的に包囲する。これによって、共通のバルブ素子を有するコンパクトなランプが可能になり、ここでこのバルブ素子は、例えばディフューザとして構成されており、両方の部分ランプによって形成されるビームを混合する。さらにこれにより、少なくとも構造形態が慣用のランプに極めてよく似ている本発明のランプを構成することができる。
【００３１】
本発明の別の有利な実施形態では、構造ユニットは実質的に透明に形成される。対象となり得るのは、例えば、アクリルガラスまたは別の透明なプラスティックである。これにより、例えばこの構造ユニットに入れられ得るＬＥＤ素子それ自体を除き、また極めて小さな直径しか有し得ないようにすることのできるその制御線路を除き、この構造ユニットが、ＬＥＤ素子から送出されるビームに対して、また場合によって設けられる２種類目の部分ランプに対しても透明になるようにすることが可能である。このような実施形態によって、影の問題を実践的に完全に回避することができる。さらにこれによって、ランプ容積部内で構造ユニットとほとんど任意に配置することができ、この際に影の問題は発生しない。
【００３２】
本発明の別の実施形態では、ランプは、このランプの中央面に関して実質的に対称に構成される。例えば、これはベースの中央で真ん中に構造ユニットを配置することによって、また２種類目の複数の部分ランプを相応に対称に構成することによって行われる。しかしながらまた、少なくとも２つの構造ユニットをランプの中央面に沿って対称に配置することも考えられる。択一的には構造ユニットは、２つの区分を有し、これらの区分は、ランプの中央面に対して対称に配置されている。
【００３３】
例えば、少なくとも２つの構造ユニットを互いに離してかつ中央面に対して対称に配置することにより、または構造ユニットの少なくとも２つの区分を互いに離してかつ中央面に対して対称に配置することにより、一方では対称なビーム分配、有利にもＬＥＤビームの指向性のあるビーム分配も達成することができる。他方ではこのように離すことによって、ＬＥＤ素子によって形成される熱を良好に放出することができる。
【００３４】
本発明の別の実施形態では、ＬＥＤ素子はそれぞれ構造ユニットの一方の面に配置される。例えば、構造ユニットが少なくとも部分的に湾曲された表面を有しかつ透明である場合、これによってこの構造ユニットにより、レンズ、例えばシリンドリカルレンズを提供することができ、このレンズによってＬＥＤビームが束ねられる。これによってこの光束は有利な方向に導かれる。したがって影の問題をほとんど完全に回避することができるのである。
【００３５】
図面の簡単な説明
本発明のさらなる利点は、図面に示した２つの実施例の以下の説明に記載されている。ここで、
図１は、一方の側にソケット部を有する本発明のランプの第１実施例を部分的に切断した側面図で概略的に示しており、
図１ａ〜１ｃは、図１のランプの相異なる３つの実施形態をほぼ図１の切断線Ｘ−Ｘに沿い、部分的に切断した図で概略的に示しており、
図２は、両側でソケット挿入される本発明のランプの第２実施例を部分的に切断し、破断した図で概略的に示しており、
図２ａおよび２ｂは、図２のランプの相異なる２つの実施形態をほぼ図２の切断線Ｙ−Ｙに沿い、部分的に切断した図で概略的に示しており、ここで図２ｂは、２つの構造ユニットと、２種類目の部分ランプを１つ有し、
図３は、一方の側でソケット挿入が行われるランプの第３実施例を概略的に側面図で示しており、
図４は、図３の実施例をほぼ図３の方向指示矢印IVにしたがって概略的に示している。
【００３６】
本発明の有利な実施例
図１には、その全体に参照符号１０が付されたランプが示されており、これはベース１１を有する。ベース１１には電気端子２０と、図示しない照明装置側のランプホルダに接続するための機械的な接続部２１とが割り当てられている。
【００３７】
ベース１１には構造ユニット１３が配置されており、この構造ユニットは、図１の実施例では６個である複数の相異なるＬＥＤ素子１２を有する。ＬＥＤ素子１２は、直線状に並んで配置されているため、構造ユニット１３は全体としてロッド状に構成されており、またランプ１０の長手方向軸Ｌに沿って延びている。構造ユニット１３は、ベース１１の中央で真ん中に配置されている。
【００３８】
例えば、６個のＬＥＤ素子１２を、アクリルガラスからなる構造ユニット１３に入れることができる。しかしながらＬＥＤ素子１２を構造ユニット１３の一方の面２６に配置することも可能である。
【００３９】
図１ではロッド状の構造ユニット１３は、実質的にＵ次形の２種類目の部分ランプ１５によって包囲されている。２種類目の部分ランプ１５は、例えば、コンパクト蛍光ランプとして構成することができる。
【００４０】
２種類目の部分ランプ１５および構造ユニット１３は、ベース１１に別々の接続領域１８ないしは１９を有する。２種類目の部分ランプ１５および構造ユニット１３は、少なくとも部分的にベース１１を通過する、詳しく図示しない接続線路を介して別々に駆動制御される。個々のＬＥＤ素子１２を互いに独立して駆動制御することも可能であり、これには必要に応じて調光動作が含まれる。
【００４１】
ランプ容積部２５は、バルブ素子２４の内部空間として定められ、この内部空間により、構造ユニット１３と、２種類目の部分ランプ１５とが包囲される。バルブ素子２４は、接続領域２７を介してベース１１に別個に接続されている。
【００４２】
バルブ素子２４は、例えば、完全に密閉されたガラスバルブとすることができ、このガラスバルブにより、ランプ容積部２５をランプ１０の外部空間２８とは異なる圧力にするか、またはランプ容積部２５にガスを入れることができる。
【００４３】
ベース１１およびバルブ素子２４の横断面は円筒形である。
【００４４】
図１の実施例ではバルブ素子２４はディフューザ１６として構成されており、その役割は、例えば、２種類目の部分ランプ１５と、ＬＥＤ素子１２とから送出されるビームを互いに混合して、ランプを見る人にランプ１０の均一な輝度分布が得られるようにすることである。
【００４５】
図１の実施例においてディフューザ素子１６には２つの開口部１７が配置されており、これは通気開口部として構成されており、熱を放出する空気流を通過させるために使用することができる。
【００４６】
ＬＥＤ素子１２から送出されるビーム１４の経過を、矢印１４ａ，１４ｂおよび１４ｃによって概略的に示す。
【００４７】
ＬＥＤ素子１２から送出されるビームの一部は、概略的な光路１４ａにほぼ沿い、直接ランプ１０を出る。別のビーム成分は、ディフュージョン素子１６において、矢印の線１４ｂのように散乱ないしは反射して、１回または複数回の反射の後はじめてランプ１０を出る。３つ目のビーム成分は、例えば、２種類目の部分ランプ１５を通る光導波部も通過することができる。これは例えば矢印線１４ｃによって示されている。また矢印線１４ｂおよび１４ｃの組み合わせも可能である。同じことが２種類目の部分ランプ１５から送出されるビームにも当てはまる。この関連において構造ユニット１３の材料は特別な役割を果たす。
【００４８】
例えば、ＬＥＤ素子１２が透明な材料、例えばアクリルガラスからなる構造ユニット１３に入れられている場合、影の問題はほとんど回避される。構造ユニット１３は、この場合、ＬＥＤビーム１４に対しても、また２種類目の部分ランプ１５から送出されるビームに対しても共に透過性を有する。ここで当然のことながら、構造ユニット１３内に延びる、ＬＥＤ素子１２用の、図示しない接続線路は除外されている。
【００４９】
また構造ユニット１３はディフューザの機能を果たすことができ、このディフューザにより、ＬＥＤ素子１２から送出されるビームと、２種類目の部分ランプ１５から送出されるビームとが付加的に混合される。
【００５０】
構造ユニット１３の接続領域１９は、ベース１１の中央で真ん中に配置されている。２種類目の部分ランプ１５の、実質的に円環状の接続領域１８は、図１ではベース１１の縁部Ｒの比較的近くに配置されている。接続領域１８において形成される熱は、ＬＥＤ素子１２と、接続領域１８とが大きく離れていることに起因して、ほとんど影響しない。これにより、ＬＥＤ素子１２と、２種類目の部分ランプ１５との同時動作が可能である。ＬＥＤ素子１２によって形成される熱の熱放出は、例えば、個々のＬＥＤ素子１２の接続の領域２６において、構造ユニット１３の表面２２を介して行われる。それゆえに比較的大きな表面２２が設けられているのであり、これはベース１１の表面２３とは別に配置されている。
【００５１】
図１の実施例では、ロッド状の構造ユニット１３はランプ１０の長手方向軸Ｌに沿って配置されており、長さｌを有する。この長さはバルブ素子２４の長さａの約３分の２である。本発明のランプによって基本的に可能であるのは、ロッド状の構造ユニット１３の長さｌをバルブ素子２４の長さａに相応して選択することである。
【００５２】
図１ａ〜１ｃは、構造ユニット１３および部分ランプ１５の相異なる３つの配置構成を例示的に示している。
【００５３】
図１ａの実施例では、ＬＥＤ素子１２を有する１つの構造ユニット１３が設けられている。部分ランプ１５の２つの部分は、構造ユニット１３と共に、直線に沿ってないしは中央面Ｅに沿って配置されている。これは殊に簡単な実施形態であり、ここでは構造ユニット１３のＬＥＤビームの輝度分布１４は、矢印１４によって示したように全体的にランプ１０の長手方向軸Ｌに対して対称にすることができる。
【００５４】
図１ｂは、２つの構造ユニット１３の択一的な配置構成を示している。これらの構造ユニットはここでもほぼ中央で部分ランプ１５の２つの部分の間に配置されている。各構造ユニット１３は、所定数のＬＥＤ素子１２を有しており、例えばそれぞれ６個ずつのＬＥＤ素子１２を有する。ＬＥＤ素子１２は、構造ユニット１３の面２６にそれぞれ配置されているため、すなわち、固定面にそれぞれ配置されているため、固定面２６に割り当てられるこの領域により、構造ユニット１３の表面２２はそれぞれ十分な熱放出をすることができる。
【００５５】
ここで有利であるのは、例えばアクリルガラスを使用することによって、例えば構造ユニット１３を透明に実施する場合、構造ユニット１３それ自体をシリンドリカルレンズとして形成することである。光路は矢印１４によって概略的に示されている。択一的には構造ユニット１３を不透明に構成することができ、また例えばディフューザとして作用させることが可能である。
【００５６】
図１ｂの実施形態は、ビーム分布に指向性のあるランプ１０を示している。しかしながら輝度分布はここでは、例えば対称であり、しかも長手方向軸Ｌに関して対称（軸対称）であると共にランプ１０の中央面Ｅに対しても鏡映対称である。
【００５７】
図１ｃは同様に有利な実施形態を示しており、ここでもＬＥＤ素子１２がそれぞれ配置された２つの構造ユニット１３が設けられている。構造ユニット１３はここでは互いに離れており、これよって熱放出がさらに改善される。
【００５８】
図２では、両側でソケット挿入が行われるランプ１０の形態で本発明の第２実施例が示されている。図２は、本発明のランプ１０の一方の端部領域だけを示しており、ここでこのランプは、図２については示していない右側の端部において、別の同等のベース１１を有する。
【００５９】
ランプ容積部２５は、環状の断面を有する中空の円筒状バルブ素子２４によって包囲されている。バルブ素子２４は、ベースに固定されており、また互いに向き合う両方のベース１１を接続している。
【００６０】
図２では図１の配置構成と類似して、ランプ容積部２５内にロッド状の構造ユニット１３が配置されている。この構造ユニットは多数のＬＥＤ素子１２を含んでいる。ここでは見やすくするためにＬＥＤ素子１２が６個だけ示されており、これらは直線的に、すなち直線に沿って配置されている。この直線はランプ１０の長手方向軸Ｌに平行に延びている。
【００６１】
ロッド状の構造ユニット１３に平行に２種類目の部分ランプ１５が配置されており、これは慣用の蛍光ランプの形態で構成されている。
【００６２】
ＬＥＤ素子１２から送出されるビームは、図１と同様にそれらの光路が矢印線１４ａ，１４ｂおよび１４ｃによって概略的にのみ示されている。この実施例においてもディフューザ１６として構成されるバルブ素子２４は、一方ではＬＥＤビーム１４の様々なビーム成分を混合し、他方ではＬＥＤビーム１４と、２種類目の部分ランプ１５から送出されるビームとを混合する。ここでも、構造ユニット１３を実質的に透明に構成することによって、影はきわめてわずかにしか問題にならない。２種類目の部分ランプ１５によって放出されるビームは、矢印線２９のように、ここでもアクリルガラスからなる構造ユニット１３も通過する。ＬＥＤ素子１２それ自体およびＬＥＤ素子１２用の図示しない接続線路だけが、構造ユニット１３を通って光が通過するのを妨げるが、これは実践的には重要ではない。
【００６３】
図２ａおよび図２ｂは、図２のランプの相異なる実施形態を示している。図２ａは、図２に示したのと同様に１つの構造ユニット１３および部分ランプ１５が配置されていることを示している。図２ｂが示しているのは、バルブ素子２４内に２つの構造ユニット１３と、これらの２つの構造ユニット１３内のほぽ中央に配置された部分ランプ１５とを設けることも同様に可能なことである。実施例２ｂにより、殊に有利にも図１ｂおよび図１ｃの実施形態と同様にＬＥＤビーム１４の対称な輝度分布が得られる。対称性は、殊にランプ１０の中央面Ｅについて得られる。同時にランプ１０の長手方向軸Ｌに関する対称性も定められる。
【００６４】
基本的にはつぎのようにすることも可能である。すなわち、バルブ素子２４ないしはディフュージョン素子１６の内側に、図示しない蛍光材料層を設けて、例えばＬＥＤ素子１２から送出される波長の短いＵＶ領域のビームを可視のビームに変換することも可能である。
【００６５】
しかしながらまた構造ユニット１３は、慣用の蛍光体ランプの保護バルブ内に配置することも可能である。
【００６６】
図３は本発明のランプの第３実施例を示している。ここではＨｇ蛍光ランプ１５′と、８個のＬＥＤ素子１２を有する構造ユニットとが組み合わされている。例えばDULUX S/EないしはDULUX-Lという名称で購入可能であり、コンパクト蛍光ランプとして構成される２種類目のこの部分ランプ１５′は、実質的にＵ字形の２脚の形態で構成されている。構造ユニット１３′は、２種類目の部分ランプ１５′とは別に、断面が実質的に三角形のベース１１′に固定されている。２種類目の部分ランプ１５′および構造ユニット１３′は、実質的に互いに平行に配向されている。
【００６７】
図３および４の実施例では特別のバルブ素子を省略することができる。ＬＥＤビームの分布変更および均一化は、部分ランプ１５′の蛍光材料層を介して、ならびに構造ユニット１３′における多重反射によって行われる。例えば、この関連において有利であるのは、構造ユニット１３′をこの実施例において実質的に不透明に、しかしながらいずれにせよ反射性を有するように構成する場合である。
【００６８】
ベース１１′の特別な形態により、例えば、同じランプ１０′を複数並べて配置することができ、これによって実質的に矢印Ｘの方向に沿って構成された、同じランプ１０′の直線的な並びが得られ、２種類目の部分ランプ１５′はそれぞれ、交互に方向Ｙまたは方向Ｙ′に沿って配向される。
【００６９】
択一的には頂点Ｓのまわりに複数の同じランプ１０′をビームの冠状に配置することも可能である。図３の実施例による三角形のベース１１′の角度を選択すれば、例えば、６個の同じランプ１０′がビームの冠状に配置される。
【００７０】
当然のことながら、本発明のランプ１０の図示していない形態、原理的には任意の別の形態も考えられる。
【図面の簡単な説明】
【００７１】
【図１】一方の側にソケット部を有する本発明のランプの第１実施例を部分的に切断して示した概略側面図である。
【図１ａ】図１のランプの１実施形態をほぼ図１の切断線Ｘ−Ｘに沿い、部分的に切断して示した概略図である。
【図１ｂ】図１のランプの別の実施形態をほぼ図１の切断線Ｘ−Ｘに沿い、部分的に切断して示した概略図である。
【図１ｃ】図１のランプのさらに別の実施形態をほぼ図１の切断線Ｘ−Ｘに沿い、部分的に切断して示した概略図である。
【図２】両側でソケット挿入される本発明のランプの第２実施例を部分的に切断し破断して示した概略図である。
【図２ａ】図２のランプの１実施形態をほぼ図２の切断線Ｙ−Ｙに沿い、部分的に切断して示した概略図である。
【図２ｂ】２つの構造ユニットと、１つの２種類目の部分ランプとを有する別の１実施形態をほぼ図２の切断線Ｙ−Ｙに沿い、部分的に切断して示した概略図である。
【図３】一方の側でソケット挿入が行われるランプの第３実施例を示した概略側面図である。
【図４】図３の実施例をほぼ図３の方向指示矢印IVにしたがって示した概略図である。
【図１】
2005514753.tif 000003
【図２】
2005514753.tif 000004
【図１ａ】
2005514753.tif 000005
【図１ｂ】
2005514753.tif 000006
【図１ｃ】
2005514753.tif 000007
【図２ａ】
2005514753.tif 000008
【図２ｂ】
2005514753.tif 000009
【図３】
2005514753.tif 000010
【図４】
2005514753.tif 000011
【国際調査報告】
2005514753.tif 000012
2005514753.tif 000013
2005514753.tif 000014
2005514753.tif 000015
2005514753.tif 000016
2005514753.tif 000017